(57)【要約】【課題】高齢者などが浴室に出入りする際に浴室外床面と浴室内床面との段差に躓いたりしないように段差を解消することができるのみならず、浴室の形状いかんにかかわらず採用することができ、床面の工事も必要とせず、簡易かつ設置が容易で、かつ水捌けが極めてよく、かつ床暖房にも適した浴室の段差解消床構造を提供する。【解決手段】浴室外床面と浴室内床面との段差を解消するための段差解消床構造であって、高さ調節手段を有し高さ調節可能とされかつ排水性を有する床上台を縦横に複数個連結せしめて浴室内床面に敷き詰めて配置し、この複数個連結せしめられた床上台の上面を透水性マットで被覆することにより、浴室内床面全域にわたって段差を解消することができるようにした。【選択図】　図１
2004084242.tif 000002
【特許請求の範囲】
【請求項１】
浴室外床面と浴室内床面との段差を解消するための段差解消床構造であって、高さ調節手段を有し高さ調節可能とされかつ排水性を有する床上台を縦横に複数個連結せしめて浴室内床面に敷き詰めて配置し、この複数個連結せしめられた床上台の上面を透水性マットで被覆することにより、浴室内床面全域にわたって段差を解消することができるようにしたことを特徴とする浴室の段差解消床構造。
【請求項２】
前記透水性マットが、軟質プラスチックチップ又はラバーチップを固めあげて作製された多孔質プラスチックマット又は多孔質ラバーマットであることを特徴とする請求項１記載の浴室の段差解消床構造。
【請求項３】
請求項１又は２記載の浴室の段差解消床構造であって、前記床上台の上面に、内部に温水が流通可能とされた温水流通配管を配設するための配管溝を凹設し、前記温水流通配管を前記配管溝内に配設して床上台の上面を前記透水性マットで被覆することにより、床暖房効果を有するようにしたことを特徴とする浴室の段差解消床構造。
【発明の詳細な説明】
【０００１】
【発明の属する技術分野】
本発明は、脱衣所と浴室との段差を解消するための浴室の段差解消床構造に関する。
【０００２】
【関連技術】
従来、特に高齢者による歩行の安全性への配慮から、浴室に隣接する脱衣所と浴室との段差を解消すべく、種々の発明・考案などが提案されており、例えば、スノコを浴室内床面に設置したりして脱衣所との段差を解消するようにした構造などが知られている。
【０００３】
しかし、スノコを浴室内床面に設置する構造だと、浴室の形状によって、スノコを設置した部分と設置していない部分との段差が発生してしまう。すなわち、場所によってはスノコの角が出てしまい、スノコの角に躓く危険性がある。
【０００４】
また、スノコを使わない構成としては、車椅子に乗った人の介護用として、床部材を複数個縦横に並べて、その間隙に隅部材を充填する構成などが提案されている（特開平９−１４４２８１号）。
【０００５】
しかし、この構造だと、介護者が車椅子に乗った人を介護するのには優れているが、老人が１人で入浴する際などには、床部材が硬質であるため、ころんだときや膝をついたりしたときなどに痛く、また、水捌けの点で問題があるなど、改良の余地があった。
【０００６】
さらに、水捌けの良さを考慮して段差を解消するようにしたものとしては、防水床パンとこの防水床パン上に載置した透水性の高い素材から成る透水板から構成した透水部を洗い場の扉側に設けた構成（特開平８−１８９２０９号）などが知られている。
【０００７】
しかし、上記した構成では、鉱物系の素材を用いて透水板を構成しているため、安全性の観点から研磨仕上を施す必要性があり、また、この床面構造を導入するに際しては、浴室内床面の工事を行うことが必須であるため、費用及び時間がかかるし、また、一度導入すると元にもどすのにも床面の工事が必要であるなど、改良の余地が残されていた。
【０００８】
【発明が解決しようとする課題】
本発明は、上記問題点に鑑みてなされたものであり、高齢者などが浴室に出入りする際に浴室外床面と浴室内床面との段差に躓いたりしないように段差を解消することができるのみならず、浴室の形状いかんにかかわらず採用することができ、床面の工事も必要とせず、簡易かつ設置が容易で、かつ水捌けが極めてよく、かつ床暖房にも適した浴室の段差解消床構造を提供することを目的とする。
【０００９】
【課題を解決するための手段】
上記課題を解決するために、本発明の段差解消床構造は、浴室外床面と浴室内床面との段差を解消するための段差解消床構造であって、高さ調節手段を有し高さ調節可能とされかつ排水性を有する床上台を縦横に複数個連結せしめて浴室内床面に敷き詰めて配置し、この複数個連結せしめられた床上台の上面を透水性マットで被覆することにより、浴室内床面の形状いかんにかかわらず、浴室内床面全域にわたって段差を解消することができるようにしたことを特徴とする。
【００１０】
このように構成すれば、浴室の形状がどのようなものであっても、前記床上台を連結せしめて隙間のないように浴室内床面に敷き詰め、前記透水性マットでその上面を覆うので、浴室外床面と浴室内床面との段差を浴室内床面全域にわたって解消できるという利点がある。
【００１１】
また、浴室の床面のタイルをはがしたり、ボルトで固定したり、という工事の必要がなく、極めて簡易にかつ安いコストで浴室外床面と浴室内床面との段差を解消することが可能となる。
【００１２】
前記透水性マットとしては、軟質プラスチックチップ又はラバーチップを固めあげて作製された多孔質プラスチックマット又は多孔質ラバーマットであるのが好ましい。
【００１３】
上記多孔質プラスチックマットとしては、再生した軟質プラチックチップを原材料として利用したり、多孔質ラバーマットとしては、産業廃棄物である廃タイヤを細かいチップ状に粉砕して原材料として利用すれば、近年の環境問題の一助となる有利さがある。
【００１４】
また、多孔質プラスチックマット又は多孔質ラバーマットを用いれば、▲１▼足が滑りにくく、▲２▼万が一転んでもショックを吸収してくれるのでソフトで安全性があり、▲３▼保温性が高く、▲４▼カビが発生しにくい、などの利点がある。
【００１５】
前記床上台としては、高さ調節手段を有し高さ調節可能とされかつ排水性を有していればよいものであり、例えば、垂直方向に開穿された複数の排水孔を有し、高さ調整手段が該排水孔に螺挿され該高さ調整手段の螺入量を調整することにより高さ調整が自在とされ、プラスチックで正方形に形成されたパネル状部材を用いることができる。
【００１６】
また、前記床上台の上面に温水流通配管を配設するための配管溝を凹設し、内部に温水が流通可能とされた前記温水流通配管を前記配管溝に該床上台の上面から突出しないように配設して該床上台の上面を前記透水性マットで被覆すれば、温水流通配管を透水性マットの下を通すことによって透水性マットが暖められるので、特別の設備を必要とせずに足下の冷たさを解消できる床暖房効果を得ることができ、かつ凹凸のない平坦な床暖房の床面とした段差解消床構造とすることができる。
【００１７】
前記したように透水性マットが多孔質プラスチックマット又は多孔質ラバーマットであれば保温性を有するので、前記温水流通配管を循環するお湯によって暖められた透水性マットが冷めにくいという利点がある。
【００１８】
従来は、浴室に床暖房を導入する場合には、特別な設備を設置するために工事を必要としたり、浴室の床面の工事を行って温水管を配設する必要などがあったが、上記のように構成すればなんら特別の設備を必要としないため、極めて簡易にかつ安いコストで床暖房を導入することが可能となる。
【００１９】
【発明の実施の形態】
以下に本発明の実施の形態を添付図面に基づいて説明するが、本発明の技術思想から逸脱しない限り、この実施の形態について種々の変形が可能であることはいうまでもない。
【００２０】
図１は本発明に係る浴室の段差解消床構造を示す概略斜視説明図、図２は本発明に係る浴室の段差解消床構造に好適に用いられる床上台を２つ連結した状態を示す正面概略斜視図、図３は床上台連結部分断面図、図４は床上台排水孔部分断面図、図５は本発明に係る浴室の段差解消床構造に好適に用いられる床上台を示す背面概略斜視図、図６は本発明に係る浴室の段差解消床構造を示す平面概念説明図であって、床上台の上面に温水流通配管を配設し、該床上台の上面を前記透水性マットで被覆した状態を示す。図７は、図６のＶＩＩ　−　ＶＩＩ線断面図である。
【００２１】
図１において、符号１０は、本発明に係る段差解消床構造を示す。段差解消床構造１０は、浴室外床面１２と浴室内床面１４との段差を解消するための段差解消床構造である。該段差解消構造１０は、高さ調節手段を有し高さ調節可能とされており、排水孔１６を具備することにより排水性を有する床上台１８を縦横に複数個連結せしめて浴室内床面１４に敷き詰めて配置し、この複数個連結せしめられた床上台１８の上面を透水性マット２０で被覆することにより、浴室内床面１４の形状いかんにかかわらず、該浴室内床面１４の全域にわたって段差を解消するようにされている。
【００２２】
符号２２は、床上台１８を縦横に複数個連結せしめるための連結具を示し、符号２４は浴室に設置された浴槽であり、２６は浴室の扉、２８は浴室入口の支柱をそれぞれ示す。
【００２３】
透水性マット２０としては、軟質プラスチックチップ又はラバーチップを固めあげて作製された多孔質プラスチックマット又は多孔質ラバーマットであればよいが、図示例では、産業廃棄物である廃タイヤを細かいチップ状に粉砕し、合成樹脂で固めた多孔質ラバーマットを使用してある。
【００２４】
例えば、エポキシ樹脂などの合成樹脂で、前記チップ状ラバーを固め上げて透水性マット２０を作製することが可能である。図示例では、該透水性マット２０として、１５ｍｍの厚さのものを使用したが、床上台１８の上面を被覆できればよいもので、透水性マット２０の厚さに特別の限定はない。
【００２５】
このように、多孔質プラスチックマットや多孔質ラバーマットを用いれば、▲１▼足が滑りにくく、▲２▼万が一転んでもショックを吸収してくれるのでソフトで安全性があり、▲３▼保温性が高く、▲４▼カビが発生しにくい、などの利点がある。
【００２６】
また、図示例のように、透水性マット２０が多孔質ラバーマットの場合には、該透水性マット２０の上を歩いた際に特に足が滑りにくく、万が一転んでもショックを吸収してくれるので安全性が極めて高い。
【００２７】
また、透水性マット２０には、産業廃棄物である廃タイヤを細かいチップ状に粉砕して原材料として使用すれば、近年の環境問題の一助となる。
【００２８】
さらに、浴室の床面のタイルをはがしたり、ボルトで固定したり、という工事の必要がなく、極めて簡易にかつ安いコストで浴室外床面１２と浴室内床面１４との段差を解消することが可能とされている。
【００２９】
床上台１８としては、例えば、図２に示すような、プラスチックで正方形に形成され、排水孔１６を有する連結可能なパネル状部材を用いることができる。図示例においては、４５ｃｍ×４５ｃｍの正方形で高さ６０ｍｍのものを使用してある。床上台１８のサイズには、特別の限定はないが、どのような浴室の形状にも対応できるようにするため、例えば、３０ｃｍ〜４５ｃｍ四方程度のサイズのものがより好ましい。
【００３０】
床上台１８は、排水性を有すればよく、上記したような排水孔１６を設ける構成以外にも、例えば、床上台１８の上面を網状部材で形成する構成などが可能である。
【００３１】
図２においては、床上台１８を２個連結させた状態を示してある。該床上台１８は、連結具２２によって横に２個連結されている。連結具２２としては、公知のものを使用すればよいが、図示例では、コの字状の連結具２２を用いて、被嵌着部３０に上方から床上台１８の上面と面一となるように嵌挿した構成を示した（図３）。また、図示例のように、床上台１８の上面に滑り止めのための溝３１を刻設する構成としてもよい。
【００３２】
このようにして、複数個の床上台１８を縦横に連結せしめる構成とすることができる。なお、床上台１８を縦横に複数個連結せしめることができればよいもので、上記した連結具２２以外の構成であっても、その他の嵌着手段、螺着手段、又は吸着手段などで床上台１８を連結する構成とすることができることはいうまでもない。
【００３３】
床上台１８には、垂直方向に開穿された複数の排水孔１６が設けられている。排水孔１６には、雌螺子孔が螺刻されており、高さ調整手段３４が下方から螺挿可能とされている。
【００３４】
上記した高さ調整手段３４としては、公知のものを使用すればよいが、例えば、図示例では、中央部に水抜孔３３を有し、その基端にはフランジ３５が設けられ、先端にはドライバーなどで螺動可能なように螺動用溝３７が刻設されている。
【００３５】
また、フランジ３５は、ラバーを用いて形成すれば、浴室内床面１４がタイル張りとされていても、滑り止めの効果を発揮するので床上台１８が滑ることがないので、より好ましい。さらに、例えば、フランジ３５に吸盤を設ける構成としても、滑り止めの効果を発揮するので床上台１８が滑ることがなく好適である。
【００３６】
そして、排水孔１６の上方からドライバーなどを挿入し、螺動用溝３７を有する高さ調整手段３４を螺動して上下動させることにより、床上台１８の高さ調整が可能な構成とされている（図４）。
【００３７】
このようにして、高さ調整手段３４の螺入量を調整することにより、床上台１８の高さ調整が自在とされているが、図示例では、最大４０ｍｍまで高さ調整が可能とされている。したがって、高さ６０ｍｍの床上台１８及び厚さ１５ｍｍの透水性マット２０を使用した場合、高さ調整手段３４により７５ｍｍ〜最大１１５ｍｍまでの段差に対応可能となる。
【００３８】
また、高さ調整手段３４の中央部には、排水孔１６を伝わって落ちた水が下に抜けるように、貫通孔３３が設けられている（図５）。このように、貫通孔３３を設けることにより、透水性マット２０を通過した水は、床上台１８の排水孔１６から排水され、排水孔１６を伝わって落ちた水は、高さ調整手段３４の中央部に設けられた貫通孔３３から下に抜けて浴室内床面１４に落ち、浴室の排水口から排水される（図１）。
【００３９】
このようにして、透水性マット２０や床上台１８の上面に水がたまってしまうことがないため、極めて排水性に優れた構造とされている。したがって、本発明の浴室の段差解消床構造を長期にわたって使用したとしても、カビが発生しにくい。なお、図示例では、該床上台１８の底面には、図５に示すように、複数の排水孔１６を結ぶようにしてリブ３２が設けられており、床上台１８の剛性の向上が図られている。
【００４０】
次に、図６及び７において、床上台１８の上面には、沸かし湯給湯管４４及び追い焚き戻り管４６とから構成される内部に温水が流通可能とされた温水流通配管３６を配設するための配管溝３８が凹設されており、該温水流通配管３６は該配管溝３８に該床上台１８の上面から突出しないように配設されている。なお、図示例では、沸かし湯給湯管４４及び追い焚き戻り管４６はそれぞれ４ｍのものを使用した。
【００４１】
沸かし湯給湯管４４及び追い焚き戻り管４６の一端は給湯器４２に接続されており、他端は浴槽２４に接続されている。この浴槽２４に接続された沸かし湯給湯管４４及び追い焚き戻り管４６の他端は、それぞれ沸かし湯給湯口４８及び追い炊き戻り口５０とされている。このようにすることにより、該床上台１８の上面を前記透水性マット２０で被覆しても凹凸のない平坦な床暖房の床面４０とされている。
【００４２】
図６において、符号４２は熱交換機能を具備する給湯器である。給湯器４２から供給された沸かし湯は、沸かし湯給湯管４４を経由して、沸かし湯給湯口４８を介して浴槽２４へと溜められる。
【００４３】
浴槽２４に溜められてぬるくなった湯は、給湯器４２で再度加熱されて追い炊きされるために、追い炊き戻り口５０から追い炊き戻り管４６を経由して、給湯器４２へと戻される。
【００４４】
そして、給湯器４２によって再度加熱され追い炊きされた沸かし湯は再び沸かし湯給湯管４４を通って浴槽２４へと流れ、該浴槽２４に溜められる。このようにして沸かし湯が常時循環される。なお、必要に応じて、循環ポンプ、制御バルブなどを給湯器４２、沸かし湯給湯管４４や追い炊き戻り管４６に適宜設けることができることはいうまでもない。
【００４５】
一般の家庭において、通常、給湯器を用いてお風呂の湯を沸かす場合には、屋外に設置された給湯器４２で水道水を３８度〜４２度程度に沸かし、沸かし湯給湯管４４を経由して浴槽２４に湯張りがされる。
【００４６】
そして、追い炊きをする場合は浴槽２４に溜められて温度の下がったお湯が追い炊き戻り管４６を経由して給湯器４２に戻され、給湯器４２によって３８度から４２度程度に再加熱されたお湯が沸かし湯給湯管４４を経由し再び浴槽に戻されるという構造がとられている。
【００４７】
本発明では、沸かし湯給湯管４４と追い炊きの戻り管４６を透水性マット２０の下を通すことによって温水流通配管３６を通っている３８度から４２度程度の温かいお湯を利用して透水性マット２０が暖められるので、特別の設備を必要とせずに足下の冷たさを解消できる床暖房効果を得ることができ、かつ凹凸のない平坦な床暖房の床面とした段差解消床構造とされている。
【００４８】
従来は、浴室に床暖房を導入する場合には、特別な設備を設置するために工事を必要としたり、浴室の床面の工事を行って温水管を配設する必要などがあったが、上記のように構成すればなんら特別の設備を必要としないため、極めて簡易にかつ安いコストで床暖房を導入することが可能となる。
【００４９】
なお、本発明の浴室の段差解消床構造は、公知の温水式床暖房にも適用することができることはいうまでもない。すなわち、公知の温水管を透水性マット２０の下を通すことによって、該温水管を通っている温水を利用して透水性マット２０が暖められるので、特別の設備を必要とせずに足下の冷たさを解消できる床暖房効果を得ることができ、かつ凹凸のない平坦な床暖房の床面とした段差解消床構造とすることが可能である。
【００５０】
【発明の効果】
以上述べたごとく、本発明によれば、高齢者などが浴室に出入りする際に浴室外床面と浴室内床面との段差に躓いたりしないように段差を解消することができるのみならず、浴室の形状いかんにかかわらず採用することができ、床面の工事も必要とせず、簡易かつ設置が容易で、かつ水捌けが極めてよく、かつ床暖房にも適した浴室の段差解消床構造を提供することができるという著大な効果が達成される。
【図面の簡単な説明】
【図１】本発明に係る浴室の段差解消床構造を示す概略斜視説明図である。
【図２】本発明に係る浴室の段差解消床構造に好適に用いられる床上台を２つ連結した状態を示す正面概略斜視図である。
【図３】床上台連結部分断面図である。
【図４】床上台排水孔部分断面図である。
【図５】本発明に係る浴室の段差解消床構造に好適に用いられる床上台を示す背面概略斜視図である。
【図６】本発明に係る浴室の段差解消床構造を示す平面概念説明図であって、床上台の上面に温水流通配管を配設し、該床上台の上面を前記透水性マットで被覆した状態を示す。
【図７】図６のＶＩＩ　−　ＶＩＩ線断面図である。
【符号の説明】
１０：段差解消床構造、１２：浴室外床面、１４：浴室内床面、１６：排水孔、１８：床上台、２０：透水性マット、２２：連結具、２４：浴槽、３０：被嵌着部、３１：溝、３２：リブ、３３：貫通孔、３４：調整手段、３５：フランジ、３６：温水流通配管、３７：螺動用溝、３８：配管溝、４０：床暖房の床面、４２：給湯器、４４：沸かし湯給湯管、４６：追い焚き戻り管、４８：沸かし湯給湯口、５０：追い炊き戻り口。
【図１】
2004084242.tif 000003
【図２】
2004084242.tif 000004
【図３】
2004084242.tif 000005
【図４】
2004084242.tif 000006
【図５】
2004084242.tif 000007
【図６】
2004084242.tif 000008
【図７】
2004084242.tif 000009